(57)【要約】【課題】  線光源装置、液晶表示装置及び電子機器において、省スペースかつ低コストで線状のイルミネーションが可能で、輝度均一性に優れ、高い視覚的効果を得ること。【解決手段】  光源２と、該光源２を光入射面である端面３ａに配し、光源２から入射され導光した光を一対の側端面のうち光出射面である一方から線状に出射すると共に反射面である他方で内側に反射する帯状導光体３と、を備え、光源２の光軸Ｘの方向が、帯状導光体３の延在方向に向けられ、帯状導光体３が、光出射面である側端面３ｂを有する側端部が曲げられて光出射面である側端面３ｂが主面３ｄの垂直方向側に向けられている。【選択図】  図１
2010050063.tif 000002
【特許請求の範囲】
【請求項１】
光源と、
該光源を光入射面である端面に配し、前記光源から入射され導光した光を一対の側端面のうち光出射面である一方から線状に出射すると共に反射面である他方で内側に反射する帯状導光体と、を備え、
前記光源の光軸方向が、前記帯状導光体の延在方向に向けられ、
前記帯状導光体が、前記光出射面である側端面を有する側端部が曲げられて前記光出射面である側端面が主面の垂直方向側に向けられていることを特徴とする線光源装置。
【請求項２】
請求項１に記載の線光源装置において、
前記帯状導光体が、導光フィルムで形成されていることを特徴とする線光源装置。
【請求項３】
請求項１又は２に記載の線光源装置において、
前記帯状導光体が環状に形成され、その内周端又は外周端に前記光出射面である側端面が配されていることを特徴とする線光源装置。
【請求項４】
請求項１から３のいずれか一項に記載の線光源装置において、
前記帯状導光体が、前記光源から遠いほど幅が狭く形成されて前記光源の光軸に前記反射面である側端面を近づけていることを特徴とする線光源装置。
【請求項５】
請求項１から４のいずれか一項に記載の線光源装置において、
前記反射面である側端面の少なくとも一部に、導光する光を前記光出射面である側端面側に光路変換する反射光学形状部が形成されていることを特徴とする線光源装置。
【請求項６】
請求項１から５のいずれか一項に記載の線光源装置において、
前記光出射面である側端面の少なくとも一部に、出射する光を前記主面の垂直方向側に光路変換する指向性光学形状部が形成されていることを特徴とする線光源装置。
【請求項７】
請求項１から６のいずれか一項に記載の線光源装置において、
前記帯状導光体が、第１屈折率層と、
該第１屈折率層を挟んで設けられ前記第１屈折率層よりも屈折率の低い一対の第２屈折率層と、で構成されていることを特徴とする線光源装置。
【請求項８】
請求項１から７のいずれか一項に記載の線光源装置において、
前記光出射面である側端面の少なくとも一部に、シボ処理が施されていることを特徴とする線光源装置。
【請求項９】
液晶表示パネルと、
前記帯状導光体が前記液晶表示パネルの外周に沿って配設された請求項１から８のいずれか一項に記載の線光源装置と、を備えていることを特徴とする液晶表示装置。
【請求項１０】
請求項９に記載の液晶表示装置を備えていることを特徴とする電子機器。
【請求項１１】
筐体に前記液晶表示装置を設けた携帯電話機であることを特徴とする請求項１０に記載の電子機器。
【発明の詳細な説明】
【技術分野】
【０００１】
本発明は、例えば携帯電話機の背面イルミネーション等の視覚的効果を向上させることができる線光源装置、液晶表示装置及び電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にもデザイン性向上や遊び用途又は着信を知らせる用途等のため、ＬＥＤ光源や液晶表示パネル又は有機ＥＬパネル等の簡易的なディスプレイ装置が搭載されて背面照明や情報表示等を行う機器が普及している。
【０００３】
従来、例えば特許文献１には、液晶表示面の辺縁に沿って延在する光伝送チューブを設け、該光伝送チューブの一端から光を入射して側周面から光を放射して液晶表示面の前面に光を照射する液晶照明装置が提案されている。
また、特許文献２には、電話機の液晶表示部を裏面から照明する導光板の端部を筐体から露出させて、光源から入射し導光した光を筐体表面上に導出させる導光装置が提案されている。
【０００４】
【特許文献１】特開２００１−３１８２３５号公報（特許請求の範囲、図６）
【特許文献２】特開２００２−２８６９４０号公報（特許請求の範囲、図１）
【発明の開示】
【発明が解決しようとする課題】
【０００５】
しかしながら、上記従来の技術には、以下の課題が残されている。
近年、特に携帯電話機等の背面イルミネーションについて、液晶表示パネル周囲の視覚的効果を高めてデザイン性を向上させることが要望されている。
上記特許文献１に記載の技術では、光伝送チューブによって液晶表示面に向けて光を出射して照明しているが、液晶表示面の外周におけるイルミネーションとしては機能していない。例えば、光伝送チューブによって液晶表示面ではなく上方に向けて光を出射させてイルミネーション用とすることも考えられるが、光伝送チューブは円筒状のため、筐体に広い収納スペースが必要になってしまい、携帯電話機等の小型かつ薄型の電子機器に搭載することには問題がある。また、光伝送チューブは途中で曲げることが困難なため、角にミラー等の反射構造が必要になり、部材コストやスペースの増大を招いてしまうと共に多様な形状に対応することも難しいという不都合がある。
また、特許文献２に記載の技術では、発光させる端部に対して光源が斜面を介して対向状態に配されているため、光源の正面に位置する領域が強く光ってしまうと共に細く長い端部を均一に光らせることが困難であった。すなわち、発光部となる端部全体の輝度均一性がなく、良好な外観が得られないため、線状光源としては不適であるという問題がある。
【０００６】
本発明は、前述の課題に鑑みてなされたもので、省スペースかつ低コストで線状のイルミネーションが可能で、輝度均一性に優れ、高い視覚的効果を得ることができる線光源装置、液晶表示装置及び電子機器を提供することを目的とする。
【課題を解決するための手段】
【０００７】
本発明は、前記課題を解決するために以下の構成を採用した。すなわち、本発明の線光源装置は、光源と、該光源を光入射面である端面に配し、前記光源から入射され導光した光を一対の側端面のうち光出射面である一方から線状に出射すると共に反射面である他方で内側に反射する帯状導光体と、を備え、前記光源の光軸方向が、前記帯状導光体の延在方向に向けられ、前記帯状導光体が、前記光出射面である側端面を有する側端部が曲げられて前記光出射面である側端面が主面の垂直方向側に向けられていることを特徴とする。
【０００８】
この線光源装置では、光源の光軸方向が、前記帯状導光体の延在方向に向けられ、帯状導光体が、光出射面である側端面を有する側端部が曲げられて光出射面である側端面が主面の垂直方向側に向けられているので、光出射面である側端面から細く長い線状光を狭い指向性かつ高輝度で一方向（側端面の直上方向（主面の垂直方向））へ出射することができる。
また、光出射面である側端面を有する側端部だけを曲げて光出射面である側端面を主面の直上に向けているので、全体として薄型化でき、実装において省スペース化が可能である。また、帯状導光体の外形状に応じて光出射面である側端面を多様な直線状や曲線状に配することができ、低コストで多様な形状のイルミネーション光が実現可能である。
さらに、光源の光軸方向が帯状導光体の延在方向に向けられており、光源が光出射面である側端面に対して対向していないので、該側端面がスポット的に光らず、側端面全体の輝度均一性を向上させることができる。すなわち、光源から入射され導光される光が、帯状導光体の延在方向に広がりながら進行する際に、光出射面である側端面に斜めに進行して外部に出射されると共に、反射面である側端面で反射された反射光も光出射面である側端面から出射されるため、側端面全体の輝度及びその均一性が向上する。
【０００９】
また、本発明の線光源装置は、前記帯状導光体が、導光フィルムで形成されていることを特徴とする。すなわち、この線光源装置では、帯状導光体が、導光フィルムで形成されているので、導光フィルムのカットで容易に作製可能であり、導光板に比べて大幅に薄型化が可能であると共に柔軟で高い可撓性によって湾曲部等への実装も容易となる。
【００１０】
また、本発明の線光源装置は、前記帯状導光体が環状に形成され、その内周端又は外周端に前記光出射面である側端面が配されていることを特徴とする。すなわち、この線光源装置では、帯状導光体が環状に形成され、その内周端又は外周端に光出射面である側端面が配されているので、リング状の線状光を得ることができる。なお、四角形環状等の多角形環状に帯状導光体を形成する場合、多角形の各辺毎に角部に光源を設置し、対応する各辺における帯状導光体の延在方向に光源の光軸を向けるように配することが好ましい。
【００１１】
また、本発明の線光源装置は、前記帯状導光体が、前記光源から遠いほど幅が狭く形成されて前記光源の光軸に前記反射面である側端面を近づけていることを特徴とする。すなわち、この線光源装置では、帯状導光体が光源から遠いほど幅が狭く形成されて光源の光軸に反射面である側端面を近づけているので、導光される光の光強度分布のうち最も光強度の高い光軸に、反射面である側端面が光源から遠い領域ほど近づいて反射光量を増すことで、上記遠い領域で輝度補正が可能になり全体の輝度均一性が向上する。
【００１２】
また、本発明の線光源装置は、前記反射面である側端面の少なくとも一部に、導光する光を前記光出射面である側端面側に光路変換する反射光学形状部が形成されていることを特徴とする。すなわち、この線光源装置では、反射面である側端面の少なくとも一部に、導光する光を光出射面である側端面側に光路変換する反射光学形状部が形成されているので、プリズム形状や波形状等の反射光学形状部によって効率的に光を光出射面である側端面に反射して高い輝度を得ることができる。特に、光源から遠い領域における側端面に反射光学形状部を施すことで、上記遠い領域で輝度補正が可能になり全体の輝度均一性が向上する。
【００１３】
また、本発明の線光源装置は、前記光出射面である側端面の少なくとも一部に、出射する光を前記主面の垂直方向側に光路変換する指向性光学形状部が形成されていることを特徴とする。すなわち、この線光源装置では、光出射面である側端面の少なくとも一部に、出射する光を主面の垂直方向側に光路変換する指向性光学形状部が形成されているので、プリズム形状等の指向性光学形状部によって指向性を調整して側端面から出射される光を側端面に垂直な方向に出射方向を変更させて直上の輝度を向上させることができる。特に、光源から遠い領域における側端面に指向性光学形状部を施すことで、上記遠い領域で輝度補正が可能になり全体の輝度均一性が向上する。
【００１４】
また、本発明の線光源装置は、前記帯状導光体が、第１屈折率層と、該第１屈折率層を挟んで設けられ前記第１屈折率層よりも屈折率の低い一対の第２屈折率層と、で構成されていることを特徴とする。すなわち、この線光源装置では、コア層となる第１屈折率層と、該第１屈折率層を挟んで第１屈折率層よりも屈折率の低いクラッド層となる一対の第２屈折率層と、の三層構造であるので、導光される光が三層間の屈折率差によって閉じ込められることで導光性能が向上し、光出射面である側端面での輝度が向上する。
【００１５】
また、本発明の線光源装置は、前記光出射面である側端面の少なくとも一部に、シボ処理が施されていることを特徴とする。すなわち、この線光源装置では、光出射面である側端面にシボ処理が施されているので、該側端面から出射される光が拡散光となり、指向性を広げることも可能である。
【００１６】
本発明の液晶表示装置は、液晶表示パネルと、前記帯状導光体が前記液晶表示パネルの外周に沿って配設された上記本発明の線光源装置と、を備えていることを特徴とする。すなわち、この液晶表示装置では、帯状導光体が液晶表示パネルの外周に沿って配設された上記本発明の線光源装置を備えているので、省スペースかつ低コストで液晶表示パネルの外周を線状に光らせるイルミネーションが可能である。
【００１７】
本発明の電子機器は、上記本発明の液晶表示装置を備えていることを特徴とする。すなわち、この電子機器では、上記本発明の液晶表示装置を備えているので、機器の使用者に対して、液晶表示パネルの外周が高輝度で光るイルミネーションの視覚的効果により良好な美観を起こさせることができる。
【００１８】
また、本発明の電子機器は、筐体に前記液晶表示装置を設けた携帯電話機であることを特徴とする。すなわち、この電子機器は、筐体に上記本発明の液晶表示装置を設けた携帯電話機であるので、受信等の電話機の状況に応じて液晶表示パネルの外周を光らせるイルミネーション効果で高い視認性を得ることができる。
【発明の効果】
【００１９】
本発明によれば、以下の効果を奏する。
すなわち、本発明に係る線光源装置によれば、光源の光軸方向が、前記帯状導光体の延在方向に向けられ、帯状導光体が、光出射面である側端面を有する側端部が曲げられて光出射面である側端面が主面の垂直方向側に向けられているので、光出射面である側端面から狭い指向性かつ高輝度で輝度均一性の高い線状光を出射でき、省スペースかつ低コストで多様な形状のイルミネーション光が実現可能である。したがって、この線光源装置を備えた液晶表示装置及び電子機器では、液晶表示パネルの外周が高輝度で光るイルミネーションの視覚的効果により高いデザイン性や視覚的効果を得ることができる。
【発明を実施するための最良の形態】
【００２０】
以下、本発明に係る線光源装置、液晶表示装置及び電子機器の第１実施形態を、図１から図４に基づいて説明する。なお、以下の説明に用いる各図面では、各部材を認識可能な大きさとするために縮尺を適宜変更している。
【００２１】
本実施形態における線光源装置１は、図１及び図２に示すように、４つの光源２と、これら光源２を光入射面である端面３ａに配し、光源２から入射され導光した光を一対の側端面のうち光出射面である一方（光出射面である側端面３ｂ）から線状に出射すると共に反射面である他方（反射面である側端面３ｃ）で内側に反射する帯状導光体３と、を備えている。
【００２２】
上記帯状導光体３は、図１、図２及び図４に示すように、光出射面である側端面３ｂを有する側端部が主面３ｄに対して９０度曲げられて光出射面である側端面３ｂが主面３ｄの垂直方向側に向けられている。
また、帯状導光体３は、導光フィルムで略四角形環状に形成され、互いに端部で連結された４つの直線状導光部３Ａで構成されている。また、帯状導光体３の内周端には、光出射面である側端面３ｂが四角形環状に配されている。
【００２３】
この帯状導光体３は、光透過性を有するアクリル樹脂やポリカーボネートのフィルム等を所定形状にカットした導光フィルムで形成され、熱プレス加工によって光出射面である側端面３ｂを有する側端部を上記方向に曲げて作製される。なお、帯状導光体３は、上記導光フィルムで形成されることが好ましいが、光透過性かつ可撓性を有するシリコーン樹等をカットした後に保持枠にて保持することによって同様に側端部を曲げて作製しても構わない。また、樹脂等の成型品を帯状導光体３に用いることも可能である。
なお、帯状導光体３の表裏面は、内側への反射特性を向上させるために鏡面状態とされている。
また、帯状導光体３を保持する保持枠を設け、この保持枠を白色樹脂等の反射部材で成型することによって、漏れ光を減らしても良い。
【００２４】
上記光源２は、フレキシブルプリント基板（図示略）に実装され、その光軸Ｘの方向が帯状導光体３の延在方向に向けられている。
すなわち、四角形環状である帯状導光体３の各辺毎（直線状導光部３Ａ毎）に、外周角部の端面３ａに光源２が設置され、対応する各辺（直線状導光部３Ａ）における帯状導光体３の延在方向に光源２の光軸Ｘを向けるように配されている。
なお、光源２は、例えば赤色ＬＥＤ素子、緑色ＬＥＤ素子及び青色ＬＥＤ素子を備えたＲＧＢ−ＬＥＤであって、白色光だけでなく様々な色の発光が可能である。
【００２５】
上記帯状導光体３は、光源２から遠いほど幅が狭く形成されている。すなわち、四角形環状である帯状導光体３の各辺毎（直線状導光部３Ａ毎）に、対応する光源２から遠い領域ほど幅が狭く設定されている。
また、反射面である側端面３ｃの一部に、導光する光を光出射面である側端面３ｂ側に光路変換する反射光学形状部３ｅが形成されている。この反射光学形状部３ｅは、例えばプリズム形状とされ、特に対応する光源２から遠い領域に光源２からの距離に応じてプリズム形状の傾斜角度を漸次変えて形成されている。
【００２６】
また、本実施形態の電子機器は、図３及び図４に示すように、筐体５の外側に表示面を向けて液晶表示装置６を設けた折り畳み型の携帯電話機（電子機器）７である。
なお、本実施形態では、液晶表示装置６の表示面側を上面側として記載している。
さらに、上記液晶表示装置６は、図３及び図４に示すように、液晶表示パネル８と、該液晶表示パネル８の下部に配されて液晶表示パネル８を照明するバックライトユニット９と、帯状導光体３が液晶表示パネル８の外周に沿って配設された上記線光源装置１と、を備えている。
【００２７】
上記液晶表示パネル８は、透過型又は半透過型の液晶表示パネルが採用される。例えば、透過型の液晶表示パネルの場合、透明電極、配向膜及び偏光板をそれぞれ有する上基板と下基板との間隙に液晶材料をシール材で封止したＴＦＴ液晶方式、ＳＴＮ液晶方式やＴＮ液晶方式等のパネル本体を備えたものである。
上記バックライトユニット９は、例えば、白色ＬＥＤ光源と、該白色ＬＥＤ光源から出射された光を導光し、光路変換して主面から面状に出射する導光板と、該導光板上に積層される拡散シート及びプリズムシートと、導光板の下面に貼り付けられる反射シートと、を備えている。
なお、線光源装置１は、受信等の携帯電話機７の状況に応じて発光するように、携帯電話機７内の制御部（図示略）によって制御される。
【００２８】
このように本実施形態の線光源装置１では、光源２の光軸Ｘの方向が、帯状導光体３の延在方向に向けられ、帯状導光体３が、光出射面である側端面３ｂを有する側端部が曲げられて光出射面である側端面３ｂが主面３ｄの垂直方向側に向けられているので、光出射面である側端面３ｂから細く長い線状光を狭い指向性かつ高輝度で一方向（側端面３ｂの直上方向（主面３ｄの垂直方向））へ出射することができる。
【００２９】
また、光出射面である側端面３ｂを有する側端部だけを曲げて光出射面である側端面３ｂを主面３ｄの直上に向けているので、全体として薄型化でき、実装において省スペース化が可能である。なお、主面に白インクの印刷等を施して拡散反射によって主面側から出射させる従来の導光板に比べて、本実施形態では、白インクの印刷工程が不要であると共に、側端面３ｂから直接的に光を出射するため、側端面３ｂの対向方向に高い輝度を得ることができる。
【００３０】
また、帯状導光体３の外形状に応じて光出射面である側端面３ｂを多様な直線状や曲線状に配することができ、低コストで多様な形状のイルミネーション光が実現可能である。
さらに、光源２の光軸Ｘの方向が帯状導光体３の延在方向に向けられており、光源２が光出射面である側端面３ｂに対して対向していないので、該側端面３ｂがスポット的に光らず、側端面３ｂ全体の輝度均一性を向上させることができる。すなわち、光源２から入射され導光される光が、帯状導光体３の延在方向に広がりながら進行する際に、光出射面である側端面３ｂに斜めに進行して外部に出射されると共に、反射面である側端面３ｃで反射された反射光も光出射面である側端面３ｂから出射されるため、側端面３ｂ全体の輝度及びその均一性が向上する。
【００３１】
また、帯状導光体３が、導光フィルムで形成されているので、導光フィルムのカットで容易に作製可能であり、導光板に比べて大幅に薄型化が可能であると共に柔軟で高い可撓性によって湾曲部等への実装も容易となる。
さらに、帯状導光体３が環状に形成され、その内周端に光出射面である側端面３ｂが配されているので、リング状の線状光を得ることができる。
【００３２】
また、帯状導光体３が光源２から遠いほど幅が狭く形成されて光源２の光軸Ｘに反射面である側端面３ｃを近づけているので、導光される光の光強度分布のうち最も光強度の高い光軸Ｘに、反射面である側端面３ｃが光源２から遠い領域ほど近づいて反射光量を増すことで、上記遠い領域で輝度補正が可能になり全体の輝度均一性が向上する。
【００３３】
さらに、反射面である側端面３ｃの一部に、導光する光を光出射面である側端面３ｂ側に光路変換する反射光学形状部３ｅが形成されているので、プリズム形状や波形状等の反射光学形状部３ｅによって効率的に光を光出射面である側端面３ｂに反射して高い輝度を得ることができる。特に、光源２から遠い領域における側端面３ｃに反射光学形状部３ｅを施しているので、上記遠い領域で輝度補正が可能になり全体の輝度均一性が向上する。
【００３４】
このように線光源装置１を備えた液晶表示装置６では、帯状導光体３が液晶表示パネル８の外周に沿って配設された線光源装置１を備えているので、省スペースかつ低コストで液晶表示パネル８の外周を線状に光らせるイルミネーションが可能である。したがって、この液晶表示装置６を備えた携帯電話機７では、機器の使用者に対して、液晶表示パネル８の外周が高輝度で光るイルミネーションの視覚的効果により良好な美観を起こさせることができる。
【００３５】
次に、本発明に係る線光源装置、液晶表示装置及び電子機器の第２から第５実施形態について、図５から図９を参照して以下に説明する。なお、以下の各実施形態の説明において、上記実施形態において説明した同一の構成要素には同一の符号を付し、その説明は省略する。
【００３６】
第２実施形態と第１実施形態との異なる点は、第１実施形態では、光出射面である側端面３ｂが、平坦面であるのに対し、第２実施形態の線光源装置では、図５に示すように、帯状導光体２３の光出射面である側端面２３ｂの一部に、出射する光を主面３ｄの垂直方向側に光路変換する指向性光学形状部２３ｆが形成されている点である。特に、光源２から遠い領域における光出射面である側端面２３ｂに指向性光学形状部２３ｆを施している。
【００３７】
この指向性光学形状部２３ｆは、例えばプリズム形状とされ、特に対応する光源２からの距離に応じてプリズム形状の傾斜角度を漸次変えて形成されている。
このように第２実施形態では、光出射面である側端面２３ｂの少なくとも一部に、出射する光を主面３ｄの垂直方向側に光路変換する指向性光学形状部２３ｆが形成されているので、プリズム形状等の指向性光学形状部２３ｆによって指向性を調整して側端面２３ｂから出射される光を側端面２３ｂに垂直な方向に出射方向を変更させて直上の輝度を向上させることができる。特に、対応する光源２から遠い領域における側端面２３ｂに指向性光学形状部２３ｆを施すことで、上記遠い領域で輝度補正が可能になり全体の輝度均一性が向上する。
【００３８】
第３実施形態と第１実施形態との異なる点は、第１実施形態では、帯状導光体３が単一材料による単層の導光フィルムで形成されているのに対し、第３実施形態の線光源装置では、図６に示すように、帯状導光体３３が、第１屈折率層３３Ａと、該第１屈折率層３３Ａを挟んで設けられ第１屈折率層３３Ａよりも屈折率の低い材料で形成された一対の第２屈折率層３３Ｂと、の三層からなる導光フィルムで構成されている点である。
【００３９】
すなわち、第１屈折率層３３Ａの屈折率をｎ１とし、第２屈折率層３３Ｂの屈折率をｎ２とすると、ｎ１＞ｎ２の関係に設定される。なお、第１屈折率層３３Ａ及び第２屈折率層３３Ｂをそれぞれ複数層で構成しても構わない。
このように第２実施形態の線光源装置では、帯状導光体３３が、コア層となる第１屈折率層３３Ａと、該第１屈折率層３３Ａを挟んで第１屈折率層３３Ａよりも屈折率の低いクラッド層となる一対の第２屈折率層３３Ｂと、の三層構造であるので、導光される光が三層間の屈折率差によって閉じ込められることで導光性能が向上し、光出射面である側端面３ｂでの輝度が向上する。
【００４０】
第４実施形態と第１実施形態との異なる点は、第１実施形態では、光出射面である側端面３ｂは、平坦面であるのに対し、第４実施形態の線光源装置では、図７に示すように、帯状導光体４３の光出射面である側端面４３ｂの少なくとも一部に、シボ処理が施されている点である。すなわち、第４実施形態の線光源装置では、光出射面である側端面４３ｂにシボ処理が施されて表面に複数の凹凸が形成されているので、該側端面４３ｂから出射される光が拡散光となり、指向性を広げることも可能である。
【００４１】
第５実施形態と第１実施形態との異なる点は、第１実施形態では、帯状導光体３が液晶表示パネル８の周囲に環状に形成され、その内周端に光出射面である側端面３ｂが配されているのに対し、第５実施形態の線光源装置５１及び携帯電話機５７では、図８及び図９に示すように、帯状導光体５３が筐体５５の外周部に環状に設置され、その外周端に光出射面である側端面５３ｂが配されている点である。
【００４２】
すなわち、第５実施形態の帯状導光体５３は、図９に示すように、その内周端に反射面である側端面５３ｃが配されていると共に、外周端に光出射面である側端面５３ｂが曲げられて配されている。また、各光源２は、帯状導光体５３の内側の角部に設けられた光入射面である端面５３ａに設置されている。なお、本実施形態の携帯電話機５７では、筐体５５の外側に液晶表示パネルを設置していないが、第１実施形態と同様に、帯状導光体５３の内側に液晶表示パネル８を配置しても構わない。
このように第５実施形態では、帯状導光体５３の外周端に光出射面である側端面５３ｂが配されているので、帯状導光体が同様の大きさであるとき、第１実施形態に比べてさらに広く大きな環状で光らせることが可能になる。
【００４３】
なお、本発明は上記各実施形態に限定されるものではなく、本発明の趣旨を逸脱しない範囲において種々の変更を加えることができる。
【００４４】
例えば、上記第３実施形態では、三層のクラッド構造で導光する光を閉じ込めて導光性能を向上させた帯状導光体を用いているが、表裏面に反射シートを貼って導光する光を内側に全反射させて導光性能を向上させた帯状導光体を採用しても構わない。
【００４５】
また、上記各実施形態では、本発明の線光源装置及び液晶表示装置を折り畳み型携帯電話機の筐体の外側に光出射面である側端面及び表示面を向けて設けているが、別の場所に設けても構わない。例えば、折り畳み型携帯電話機の筐体の内側に設けられているメインの液晶表示装置に本発明を適用しても構わない。
また、上記各実施形態では、本発明の線光源装置及び液晶表示装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機の背面等に本発明のディスプレイ装置を搭載しても良い。
【００４６】
また、上記各実施形態では、本発明の線光源装置の帯状導光体を液晶表示パネルの外周や筐体の外周部に沿って設けているが、他の箇所に配設させても構わない。また、矩形状だけでなく、星型やハート型等の形に帯状導光体の側端部を曲げて多様な形状とすることも可能である。
さらに、本発明の線光源装置及び液晶表示装置を携帯電話機に搭載したが、ＰＤＡ、ノート型パーソナルコンピュータ（ノートＰＣ）や電子辞書等の他の電子機器に採用しても構わない。さらに、本発明の線光源装置を、壁掛けディスプレイや看板等の単体で使用しても構わない。
【図面の簡単な説明】
【００４７】
【図１】本発明に係る線光源装置、液晶表示装置及び電子機器の第１実施形態において、線光源装置を示す斜視図である。
【図２】第１実施形態において、線光源装置を示す要部を拡大した斜視図である。
【図３】第１実施形態において、携帯電話機（電子機器）を示す斜視図である。
【図４】第１実施形態において、線光源装置及び液晶表示装置を示す要部を拡大した断面図である。
【図５】本発明に係る線光源装置、液晶表示装置及び電子機器の第２実施形態において、線光源装置を示す要部を拡大した斜視図である。
【図６】本発明に係る線光源装置、液晶表示装置及び電子機器の第３実施形態において、帯状導光体を示す拡大断面図である。
【図７】本発明に係る線光源装置、液晶表示装置及び電子機器の第４実施形態において、帯状導光体の側端部を示す拡大断面図である。
【図８】本発明に係る線光源装置、液晶表示装置及び電子機器の第５実施形態において、携帯電話機（電子機器）を示す斜視図である。
【図９】第５実施形態において、線光源装置を示す斜視図である。
【符号の説明】
【００４８】
１，５１…線光源装置、２…光源、３，２３，３３，４３，５３…帯状導光体、３ｂ，２３ｂ，４３ｂ，５３ｂ…光出射面である側端面、３ｃ，５３ｃ…反射面である側端面、３ｄ…帯状導光体の主面、３ｅ…反射光学形状部、５，５５…筐体、６…液晶表示装置、７，５７…携帯電話機（電子機器）、８…液晶表示パネル、２３ｆ…指向性光学形状部、３３Ａ…第１屈折率層、３３Ｂ…第２屈折率層
【図１】
2010050063.tif 000003
【図２】
2010050063.tif 000004
【図３】
2010050063.tif 000005
【図４】
2010050063.tif 000006
【図５】
2010050063.tif 000007
【図６】
2010050063.tif 000008
【図７】
2010050063.tif 000009
【図８】
2010050063.tif 000010
【図９】
2010050063.tif 000011